(57)【要約】【課題】  端末からカードに貼り付けた画像のトリミングが容易にできるカード受注受注システム及びカード受注装置を提供する。【解決手段】  カードに印刷する文字および画像のレイアウトを定めたテンプレートを含む入力画面を提示部１２２が提示し、ユーザ端末１１等から文字および画像の入力データを通信部１２１が受信すると、参照したテンプレート識別情報と、受信した文字および画像のデータをカード情報としてユーザ別カード情報DB１１２に記録し、カードのプレビューをユーザ端末１１等に提示する。プレビューに基づいて操作された画像のトリミングに関するトリミング情報を前記ユーザ端末１１等から受信し、前記カード情報に追記し、印刷部１３１はカード情報とテンプレートとを読み出して、印刷形式に変換してカード印刷する。【選択図】  図２
2006139409.tif 000002
【特許請求の範囲】
【請求項１】
ウエブブラウザを用いてウエブページを閲覧可能なユーザ端末と、当該ユーザ端末からカードの受注を受け付けるウエブページを持ったカード受注装置とからなるカード受注システムであって、
前記カード受注装置は、
カードの文字および画像のレイアウトを定めたテンプレートを含む入力画面をウエブページスペースにおいて提示する入力画面提示手段と、
ユーザ端末がウエブブラウザを用いて前記入力画面に入力すると、その入力された文字情報および画像データを受け取る受取手段と、
受け取った文字情報および画像データを記憶する記憶手段と、
ユーザ端末が前記入力画面に必要事項を入力終了すると起動され、記憶手段に記憶された文字情報および画像データの内容を反映したカードプレビューとトリミング操作メニュとからなる未加工画面を前記入力画面に代えてウエブスペースに提示する未加工画面提示手段と、
ユーザ端末がウエブブラウザから未加工画面中のトリミング操作メニュを操作して画像をトリミングし、トリミングが確定したとき、そのトリミング情報を受け取り、受け取ったトリミング情報を前記記憶手段に記録するトリミング情報記録手段と、
前記テンプレートと前記記憶手段に記憶された文字情報と画像データとトリミング情報とをカードの情報として出力する出力手段とを備えることを特徴とするカード受注システム。
【請求項２】
ウエブブラウザを用いてウエブページを閲覧可能なユーザ端末からカードの受注を受け付けるウエブページを持ったカード受注装置であって、
カードの文字および画像のレイアウトを定めたテンプレートを含む入力画面をウエブページスペースにおいて提示する入力画面提示手段と、
ユーザ端末がウエブブラウザを用いて前記入力画面に入力すると、その入力された文字情報および画像データを受け取る受取手段と、
受け取った文字情報および画像データを記憶する記憶手段と、
ユーザ端末が前記入力画面に必要事項を入力終了すると起動され、記憶手段に記憶された文字情報および画像データの内容を反映したカードプレビューとトリミング操作メニュとからなる未加工画面を前記入力画面に代えてウエブスペースに提示する未加工画面提示手段と、
ユーザ端末がウエブブラウザから未加工画面中のトリミング操作メニュを操作して画像をトリミングし、トリミングが確定したとき、そのトリミング情報を受け取り、受け取ったトリミング情報を前記記憶手段に記録するトリミング情報記録手段と、
前記テンプレートと前記記憶手段に記憶された文字情報と画像データとトリミング情報とをカードの情報として出力する出力手段とを備えることを特徴とするカード受注装置。
【請求項３】
前記トリミング操作メニュは、画像の回転と移動と拡大と縮小との少なくも一つを含むことを特徴とする請求項２記載のカード受注装置。
【請求項４】
前記未加工画面提示手段は、前記記憶手段に記憶された画像データの示す画像の横または縦のいずれかの辺がカードの画像貼付部分の対応する辺に合致するように調整した画像データを提示することを特徴とする請求項２記載のカード受注装置。
【請求項５】
前記入力画面提示手段は、
あらかじめ複数のテンプレートを記憶しているテンプレート記憶部と、
前記ユーザ端末からの指示に基づき、前記テンプレート記憶部に記憶された複数のテンプレートを順次、前記ユーザ端末に提示するテンプレート提示部と、
提示した複数のテンプレートのうち一つのテンプレートの選択を前記ユーザ端末から受け付け、前記入力画面に含まれるテンプレートを、選択されたテンプレートに変更するテンプレート変更部と、
変更後のテンプレートを含む入力画面を提示する提示部とを有し、
前記記憶手段は、さらに、
前記提示部が提示する入力画面に含まれるテンプレートを識別するテンプレート識別情報を記憶し、
前記未加工画面提示手段は、
前記記憶手段に記憶された前記文字情報および画像データを前記記憶手段に記憶された前記テンプレート識別情報が示す前記テンプレート記憶部のテンプレートに従いレイアウトしたカードのプレビューとトリミング操作メニュとからなる未加工画面と、前記トリミング操作メニュの操作に対応するトリミングの処理を前記ユーザ端末に指示するトリミング処理指示情報とを前記ユーザ端末に提示し、
前記カード情報出力手段は、
前記記憶手段に記憶された文字情報および画像データと、前記文字および画像のデータに対応させて前記記憶手段に記録されている前記トリミング情報と、前記記憶手段に記憶された前記テンプレート識別情報が示す前記テンプレート記憶部のテンプレートとからカードイメージの情報を作成し、出力することを特徴とする請求項２記載のカード受注装置。
【請求項６】
前記出力手段で出力されたカードの情報をもとにカードに印刷する印刷手段を、さらに備えることを特徴とする請求項２記載のカード受注装置。
【請求項７】
記憶部を有し、ウエブブラウザを用いてウエブページを閲覧可能なユーザ端末からカードの受注を受け付けるウエブページを持ったカード受注装置の制御方法であって、
カードの文字および画像のレイアウトを定めたテンプレートを含む入力画面をウエブページスペースにおいて提示する入力画面提示手段と、
ユーザ端末がウエブブラウザを用いて前記入力画面に入力すると、その入力された文字情報および画像データを受け取る受取ステップと、
受け取った文字情報および画像データを前記記憶部に記録する記録ステップと、
ユーザ端末が前記入力画面に必要事項を入力終了すると起動され、前記記憶部に記録された文字情報および画像データの内容を反映したカードプレビューとトリミング操作メニュとからなる未加工画面を前記入力画面に代えてウエブスペースに提示する未加工画面提示ステップと、
ユーザ端末がウエブブラウザから未加工画面中のトリミング操作メニュを操作して画像をトリミングし、トリミングが確定したとき、そのトリミング情報を受け取り、受け取ったトリミング情報を前記記憶部に記録するトリミング情報記録ステップと、
前記テンプレートと前記記憶部に記録された文字情報と画像データとトリミング情報とをカードの情報として出力する出力ステップとを有することを特徴とするカード受注装置の制御方法。
【発明の詳細な説明】
【技術分野】
【０００１】
本発明は、ユーザ端末からカードの受注を受け付けるウエブページを持ったカード受注装置及び、そのような装置とネットワーク接続されたユーザ端末とからなるカード受注システムに関する。
【背景技術】
【０００２】
名刺とか名札といったカードは、当初、印刷業を営む専門ショップに申し込み、作成してもらうものであったが、インターネットの普及により、専門ショップがカード申し込みのウエブページを持ち、ユーザは、端末からそのウエブページを閲覧し、住所、氏名等の必要事項を入力して申し込みができるシステムが普及しつつある。
特許文献１には、カードの文字編集と印刷をユーザが簡便に行なえる技術が開示されている。同技術によると、センタサーバで用意されたカードの各種のレイアウト形式（以下、「テンプレート」という）から所望のものを選択して、ユーザ端末にダウンロードし、文字データをテンプレートで決められた項目別に入力、編集し、ユーザ端末に接続された印刷装置により印刷することにより所望のカードが得られる。また、特許文献２には、名刺の作成において、文字に加えて絵柄の入力、編集と印刷発注をユーザ端末から行なえる技術が開示されている。
【特許文献１】特開２００４−１４５５８２号公報
【特許文献２】特開２００２−２０７８８６号公報
【発明の開示】
【発明が解決しようとする課題】
【０００３】
ところで、最近のカードでは、たとえば診察カードとか名刺などにおいて、その人の顔写真あるいは買っているペットの写真を掲載することを望むユーザが多い。しかも、そのようなユーザは、写真を自分の好みの大きさ、方向にアレンジして掲載しようとする意向が強い。上記の特許文献は、画像貼り付けの機能がなかったり、あったとしても、単に貼り付けるだけで、ユーザの好みに合わせるには、ユーザがあらかじめ画像編集ソフトによりトリミングした画像データを作成しておかなければならないものであった。
【０００４】
しかし、画像は、カードに実際に配置した状態で、被写体の大きさ、方向等の調整を行なわないと、見栄えの良いカードは得がたいものである。
本発明は、係る点に鑑み、ユーザがカードに写真を配置した状態で、自分の好みに応じてアレンジすることのでき斬新なカード受注装置並びにシステムを提供するものである。
【課題を解決するための手段】
【０００５】
本発明のカード受注システムは、上記課題を解決するため、ウエブブラウザを用いてウエブページを閲覧可能なユーザ端末と、当該ユーザ端末からカードの受注を受け付けるウエブページを持ったカード受注装置とからなるカード受注システムであって、前記カード受注装置は、カードの文字および画像のレイアウトを定めたテンプレートを含む入力画面をウエブページスペースにおいて提示する入力画面提示手段と、ユーザ端末がウエブブラウザを用いて前記入力画面に入力すると、その入力された文字情報および画像データを受け取る受取手段と、受け取った文字情報および画像データを記憶する記憶手段と、ユーザ端末が前記入力画面に必要事項を入力終了すると起動され、記憶手段に記憶された文字情報および画像データの内容を反映したカードプレビューとトリミング操作メニュとからなる未加工画面を前記入力画面に代えてウエブスペースに提示する未加工画面提示手段と、ユーザ端末がウエブブラウザから未加工画面中のトリミング操作メニュを操作して画像をトリミングし、トリミングが確定したとき、そのトリミング情報を受け取り、受け取ったトリミング情報を前記記憶手段に記録するトリミング情報記録手段と、前記テンプレートと前記記憶手段に記憶された文字情報と画像データとトリミング情報とをカードの情報として出力する出力手段とを備えることとしている。
【発明の効果】
【０００６】
この構成により、ユーザ端末により入力されたカードの文字および画像のデータと、画像のトリミングとがカードのプレビューの表示で確認しながら行なえるので、カードに貼り付けた画像のトリミングがユーザ端末により容易に行なうことができる。
本発明のカード受注装置は、上記課題を解決するため、ウエブブラウザを用いてウエブページを閲覧可能なユーザ端末からカードの受注を受け付けるウエブページを持ったカード受注装置であって、
カードの文字および画像のレイアウトを定めたテンプレートを含む入力画面をウエブページスペースにおいて提示する入力画面提示手段と、ユーザ端末がウエブブラウザを用いて前記入力画面に入力すると、その入力された文字情報および画像データを受け取る受取手段と、受け取った文字情報および画像データを記憶する記憶手段と、ユーザ端末が前記入力画面に必要事項を入力終了すると起動され、記憶手段に記憶された文字情報および画像データの内容を反映したカードプレビューとトリミング操作メニュとからなる未加工画面を前記入力画面に代えてウエブスペースに提示する未加工画面提示手段と、ユーザ端末がウエブブラウザから未加工画面中のトリミング操作メニュを操作して画像をトリミングし、トリミングが確定したとき、そのトリミング情報を受け取り、受け取ったトリミング情報を前記記憶手段に記録するトリミング情報記録手段と、前記テンプレートと前記記憶手段に記憶された文字情報と画像データとトリミング情報とをカードの情報として出力する出力手段とを備えることとしている。
【０００７】
この構成により、ユーザ端末により受け付けたカードの文字情報および画像のデータをカードのプレビューで表示するので、カードの形状と画像貼付部分の形状に応じ、カードに貼り付けた画像のトリミングがユーザ端末により容易に行なうことができる。
また、前記トリミング操作メニュは、画像の回転と移動と拡大と縮小との少なくも一つを含むこととしている。
【０００８】
これにより、未加工画面に表示された画像の回転、移動、拡大、縮小のいずれかのトリミング操作ができるので、カードの形状と、画像貼付部分の形状等に応じて、画像内で印刷したい最適部分のトリミングができる。
また、前記未加工画面提示手段は、前記未加工画面に表示する画像データとして、前記記憶手段に記憶された画像データの示す画像の横または縦のいずれかの辺がカードの画像貼付部分の対応する辺に合致するように調整した画像データを提示することとしている。
【０００９】
これにより、画像を貼り付けたとき、画像の幅または高さのいずれかと画像貼付部分の幅または高さとが一致してプレビューで表示されるので、拡大、縮小などで合わせる手間が省ける。
また、前記入力画面提示手段は、あらかじめ複数のテンプレートを記憶しているテンプレート記憶部と、前記ユーザ端末からの指示に基づき、前記テンプレート記憶部に記憶された複数のテンプレートを順次、前記ユーザ端末に提示するテンプレート提示部と、  提示した複数のテンプレートのうち一つのテンプレートの選択を前記ユーザ端末から受け付け、前記入力画面に含まれるテンプレートを、選択されたテンプレートに変更するテンプレート変更部と、変更後のテンプレートを含む入力画面を提示する提示部とを有し、前記記憶手段は、さらに、前記提示部が提示する入力画面に含まれるテンプレートを識別するテンプレート識別情報を記憶し、前記未加工画面提示手段は、前記記憶手段に記憶された前記文字情報および画像のデータを前記記憶手段に記憶された前記テンプレート識別情報が示す前記テンプレート記憶部のテンプレートに従いレイアウトしたカードのプレビューとトリミング操作メニュとからなる未加工画面と、前記トリミング操作メニュの操作に対応するトリミングの処理を前記ユーザ端末に指示するトリミング処理指示情報とを前記ユーザ端末に提示しとしている。
【００１０】
このような構成によって、ユーザの所望に合ったテンプレートに基づいてカードを作成することができる。
また、前記入力画面提示手段は、あらかじめ複数のテンプレートを記憶しているテンプレート記憶部と、前記ユーザ端末からの指示に基づき、前記テンプレート記憶部に記憶された複数のテンプレートを順次、前記ユーザ端末に提示するテンプレート提示部と、提示した複数のテンプレートのうち一つのテンプレートの選択を前記ユーザ端末から受け付け、前記入力画面に含まれるテンプレートを、選択されたテンプレートに変更するテンプレート変更部と、変更後のテンプレートを含む入力画面を提示する提示部とを有し、前記記憶手段は、さらに、前記提示部が提示する入力画面に含まれるテンプレートを識別するテンプレート識別情報を記憶し、前記未加工画面提示手段は、前記記憶手段に記憶された前記文字情報および画像データを前記記憶手段に記憶された前記テンプレート識別情報が示す前記テンプレート記憶部のテンプレートに従いレイアウトしたカードのプレビューとトリミング操作メニュとからなる未加工画面と、前記トリミング操作メニュの操作に対応するトリミングの処理を前記ユーザ端末に指示するトリミング処理指示情報とを前記ユーザ端末に提示し、前記カード情報出力手段は、前記記憶手段に記憶された文字情報および画像データと、前記文字情報および画像のデータに対応させて前記記憶手段に記録されている前記トリミング情報と、前記記憶手段に記憶された前記テンプレート識別情報が示す前記テンプレート記憶部のテンプレートとからカードイメージの情報を作成し、出力することとしている。
【００１１】
このような構成によって、ユーザからカード制作の注文を受け付けることができ、料金の精算ができる。
また、前記出力手段で出力されたカードの情報をもとにカードに印刷する印刷手段を、さらに備えることとしている。
このような構成によって、印刷手段がカード受注装置に備えられているので、カードの印刷を行い、迅速にユーザに配送できる。
【００１２】
本発明は、上記課題を解決するため、記憶部を有し、ウエブブラウザを用いてウエブページを閲覧可能なユーザ端末からカードの受注を受け付けるウエブページを持ったカード受注装置の制御方法であって、カードの文字および画像のレイアウトを定めたテンプレートを含む入力画面をウエブページスペースにおいて提示する入力画面提示手段と、ユーザ端末がウエブブラウザを用いて前記入力画面に入力すると、その入力された文字情報および画像データを受け取る受取ステップと、受け取った文字情報および画像データを前記記憶部に記録する記録ステップと、ユーザ端末が前記入力画面に必要事項を入力終了すると起動され、前記記憶部に記録された文字情報および画像データの内容を反映したカードプレビューとトリミング操作メニュとからなる未加工画面を前記入力画面に代えてウエブスペースに提示する未加工画面提示ステップと、ユーザ端末がウエブブラウザから未加工画面中のトリミング操作メニュを操作して画像をトリミングし、トリミングが確定したとき、そのトリミング情報を受け取り、受け取ったトリミング情報を前記記憶部に記録するトリミング情報記録ステップと、前記テンプレートと前記記憶部に記録された文字情報と画像データとトリミング情報とをカードの情報として出力する出力ステップとを有することとしている。
【００１３】
この方法によって、ユーザ端末により受け付けたカードの文字情報の文字および画像データの画像をプレビューで表示するので、カードに貼り付けた画像のトリミングがユーザ端末により容易に行なうことができる。
【発明を実施するための最良の形態】
【００１４】
本発明に係るカード受注システムおよびカード受注装置を図面を用いて説明する。
（一実施の形態）
図１は、本発明に係るカード受注システムの一実施の形態の概念を示す図である。
カード受注システムは、ユーザ端末１１、１２、あるいは１３（以下、「ユーザ端末１１等」という）、
と、インタネットのネットワーク２０と、カード受注装置１００とで構成される。
【００１５】
ユーザ端末１１等は、ユーザがカード受注システムのカード作成、注文の機能を利用するための端末であり、パソコンまたは携帯端末である。ユーザは、ユーザ端末１１等を操作してネットワーク２０を通じてカード受注装置１００にアクセスする。
ネットワーク２０は、インターネットであり、端末装置１１等とカード受注装置１００との間でのデータ送受信の媒介となる。
【００１６】
カード受注装置１００は、たとえば、カードの注文に関するWWW（World Wide Web）のウエブページを提供するサーバ装置であり、ユーザ端末１１等は、そのウエブページにアクセスする。ウエブページはウエブページの記述言語、例えばHTML（HyperText Markup Language）あるいはXML（Extensible Markup Language）で記述されている。
カード受注装置１００は、ユーザ端末１１等から、カードの文字データ、画像データの入力と編集の操作を受け付け、それぞれの処理を行なう。さらに、入力済みのカード３０のカード制作の注文を受け付けると、指定のカード媒体に印刷して、注文の精算を行う。印刷されたカードは、指定された手段でユーザ宛に配送される。
【００１７】
図２は、本実施の形態のユーザ端末１１等およびカード受注装置１００のブロック構成を示す図である。これらの装置の構成について順次説明する。
端末装置１１等は、ウェブのブラウザを有するパソコンであり、モニタ１５、入力受付部１６、表示制御部１７、端末通信部１８で構成される。
モニタ１５は、表示制御部１７の指示により、ウエブの各種のページの表示を行なう。
【００１８】
端末通信部１８は、ネットワーク２０に接続され、ネットワーク２０を介してカード受注装置１００の通信部１２１とデータの通信を行なう。端末通信部１８は、通信部１２１からのデータを受信したとき、そのデータを表示制御部１７に伝達する。また、入力受付部１６および表示制御部１７から伝達されたデータを通信部１２１に送信する。
入力受付部１６は、ユーザ端末１１等に備え付けのキーボードおよびポインティングデバイス（不図示）の操作によるユーザからの操作あるいはデータの入力を受け付け、受け付けた操作、例えばボタンが押下されたこと、あるいは受け付けたデータを表示制御部１７に伝達する。
【００１９】
表示制御部１７は、カード受注装置１００から提示されたウエブページを端末通信部１８を介して受け取ると、そのウエブページをモニタ１１に表示させる。そして、表示したウエブページのなかのメニュあるいはボタン等が押下されたとき、押下された旨等の情報をどこに伝達するか、という情報を当該ウエブページのメニュあるいはボタンを記述している箇所から得る。そして、入力受付部１６から、そのメニュまたはボタンが押下されたことが伝達されると、押下されたことが当該ウエブページに指定された伝達先に伝達し、また、他にも伝達するべき情報の指定があればその情報も伝達する。伝達先は、通常はウエブページの提示元であるが、後述のトリミング操作の回転ボタン等のように、表示制御部１７自身に止まるものもある。表示制御部１７は、たとえばIE（Internet Explorer、Microsoft社の製品） のブラウザ等で実現される。
【００２０】
カード受注装置１００は、ユーザDB１１１、ユーザ別カード情報DB１１２、テンプレートDB１１３、通信部１２１、提示部１２２、編集部１２３、印刷部１３１、精算部１３２、制御部１５０により構成される。
ユーザDB１１１は、ハードディスク等からなり、ユーザごとにユーザ登録の情報と注文履歴の情報とが記録されている。ここで、ユーザとは、医院、会社などの法人をいう。ユーザ登録の情報は、ユーザ登録ページ（後述）を通じて登録される情報であり、ユーザID、ユーザ名、住所、Emailアドレス、パスワード、電話番号、FAX番号、担当者名の項目からなる。また、注文履歴の情報は、ユーザの注文ごとに、注文番号、注文日付、注文されたカードIDの範囲、カード配送方法、カード材料、課金金額、入金金額の項目からなる。ここで、ユーザIDとパスワードは、ユーザのログイン（後述）で参照される。
【００２１】
ユーザ別カード情報DB１１２は、ハードディスク等からなり、ユーザ別にフォルダを設けている。
各フォルダには、新規のカード作成時に参照されるテンプレートの識別名が記録され、また、当該ユーザが作成したすべてのカードのカード情報を記録している。
カード情報は、カードの作成番号であるカードID、カードが参照したテンプレートの識別名、入力テキスト項目のテキスト、フォント変更情報、カードに貼り付けられる画像ファイル、画像のトリミング情報の項目からなる。
【００２２】
ここで、入力テキスト項目とは、氏名、生年月日等等のユーザにより入力されたテキスト項目をいい、テキストとは文字列をいい、また、フォントは、テキストのフォントをいう。
テンプレートDB１１３は、ハードディスク等からなり、カードに印刷されるテキストと画像のレイアウトの情報とをテンプレート別にディスク媒体等に記録している。各テンプレートには、カードの形状とサイズ、ユーザが入力するテキスト項目の定義、テキスト項目ごとのフォントのタイプ、サイズおよび色、無条件で印刷される組み込みテキストおよびその位置とフォントのタイプ、サイズおよび色、画像貼込部分の位置とサイズの情報等が記録されている。テンプレートDB１１３へのテンプレートの登録または更新は、別途、専用のツールにより行なわれるがその説明は省略する。
【００２３】
通信部１２１は、ネットワーク２０を介して、端末装置１１等の端末通信部１８から送信されたデータを受信し、制御部１５０または編集部１２３に伝達する。また、提示部１２２により提示されたデータを受け取り、端末装置１１等の端末通信部１８に送信する。
提示部１２２は、制御部１５０または編集部１２３の指示により、端末装置１１等のモニタ１５に表示すべきウエブのページを提示する。ここで、提示するとは、ウエブのページ等の表示データを通信部１２１を通じて端末１１等の表示制御部１７に伝達し、表示制御部１７によりモニタ１５に表示させるようにすることである。
【００２４】
提示部１２２が提示元の指示により提示するウエブページについて次に述べる。なお、提示されるウェブページは、提示元が内部で記憶している。
提示部１２２は、制御部１５０の指示によりカード注文のためのホームページを提示する。
図３は、提示部１２２が提示するホームページの一例を示す図である。カード注文ホームページ３０１には、ユーザ登録３１１、ユーザ作成・注文３１２およびユーザ履歴３１３のメニュ項目があり、ユーザ端末１１等から、ポインティングデバイスのクリックにより指定できる。
【００２５】
提示部１２２は、また、制御部１５０の指示によりユーザ登録のためのユーザ登録ページを提示する。
図４は、ユーザ登録ページの一例を示す図である。ユーザ登録ページ４０１は、新規のユーザを登録するためのページであり、端末１１等からのテキストの入力を行なう。入力する項目には、ユーザID４１１、ユーザ名４１２、住所４１３、メールアドレス４１４、パスワード４１５、電話番号４１６、FAX番号４１７、ユーザ側の担当者４１８があり、それぞれ入力可能な最大文字数が定められている。ユーザID４１１とパスワード４１５は、登録ボタン４２１による登録後、後述のカードの作成・編集等のページに移行するときに、ユーザ認証のために必要となる。
【００２６】
提示部１２２は、上記に説明したページ以外にも、カード注文ホームページ３０１において、ユーザ作成・注文３１２またはユーザ履歴３１３のメニュ項目が指定されたときに提示するページ等があるが、それらについては後述する。
編集部１２３は、カードの作成・編集を行なう。編集部１２３は、カード注文ホームページ３０１において、カード作成・注文３１２メニュ項目が選択されたとき、制御部１５０から指定のユーザIDのユーザによるカード作成・注文の処理を行なう旨の指示を受けとる。指示を受けた編集部１２３は、指定のユーザIDが示すユーザについてユーザ別カード情報DB１１２を検索し、当該ユーザのフォルダから、新規カード作成時に参照されるテンプレート識別名と、作成済みの各カードのカードIDおよび氏名とを読み出す。そして、読み出した各カードのカードIDと、入力テキスト項目の一つである氏名とをもとに、カード一覧リストを作成し、カード作成ページを提示する。
【００２７】
図５は、カード作成ページの一例を示す図である。カード作成ページ５０１は、テンプレート識別名ボックス５１１、変更ボタン５１２、カード一覧５１３、既存カード編集ボタン５２１、新規カード作成ボタン５２２、注文ボタン５２３、戻るボタン５２４からなる。
テンプレート識別名ボックス５１１には、当該ユーザの新規カード作成時に参照されるテンプレート識別名が表示される。変更ボタン５１２は、当該ユーザの現在のテンプレートの変更に使用されるボタンであり、変更ボタン５１２が押下されたことが伝達されると、編集部１２３は、テンプレートDB１１３に登録されているテンプレートを読み出し、各テンプレートに基づいて作成したテンプレート選択ページ６０１を順次、提示する。
【００２８】
ここで、「変更ボタン５１２が押下されたことが伝達される」とは、変更ボタン５１２がユーザ端末１１等において押下されると、ユーザ端末１１等の入力受付部１６が受け付け、押下の旨を表示制御部１７に伝達し、表示制御部１７から当該ボタンに関してウエブページにおいて指定された伝達先に、端末通信部１８および通信部１２１を介して伝達されることをいう（以下、同様）。
【００２９】
なお、他のボタンの押し下げの場合も同様に伝達される。ここで、ボタンの押下とは、ポインティングデバイスにより、当該ボタンのクリック操作が行われることをいう。変更ボタン５１２が押下されたことが伝達されると、編集部１２３は、テンプレートDB１１３に登録されているテンプレートを読み出し、各テンプレートに基づいて作成したテンプレート選択ページ６０１を順次、提示する。
【００３０】
図６は、テンプレート選択ページの２つの例を示す図である。
テンプレート選択ページ６０１は、タイトル欄６１０と、テンプレート欄６２０、ボタン欄６３０の３つの欄からなる。
タイトル欄６１０には、テンプレート識別名とテンプレート番号/テンプレート数とが表示される。テンプレート選択ページ６０１の例は、テンプレート識別名は「医院一般型」であり、テンプレート数は２０でありテンプレート番号は１であることを示している。
【００３１】
テンプレート欄６２０には、カードのテキスト項目と画像貼付部分とがレイアウトされたカードのプレビューと同様に表示される。たとえば、画像貼付部分６１１は、貼付部分の矩形を示し、医院名６１２、医院情報等のテキストボックスは、テキストが入力されることを示し、生年月日６１５等は、無条件で印刷される組込テキストであることを示している。カード枠６１４のサイズ、画像貼付部分６１１のサイズ、組込テキストおよび各テキストボックスのフォントのサイズ、タイプおよび色がそれぞれ定められており、カーソルをテキストボックス等に移動すると、それらの情報が表示制御部１７により表示される。
【００３２】
ボタン欄６３０は、選択ボタン６３１、次のテンプレートボタン６３２、戻るボタン６３３から成る。
選択ボタン６３１の押下がされたことが伝達されると、編集部１２３は、ユーザ別カード情報DB１１２の当該ユーザのフォルダに記録されている新規のカード作成時に参照されるテンプレートの識別名を、選択されたテンプレートの識別名に変更し、また、図５のテンプレート５１１を選択されたテンプレート識別名に変更して、変更後のテンプレート識別名に基づきカード作成ページ５０１を提示する。
【００３３】
また、次のテンプレートボタン６３２の押下がされたことが伝達されると、編集部１２３は、次のテンプレート選択ページ６０２を提示する。たとえば、テンプレート選択ページ６０２は、「医院一般右型」であり、画像貼付部分６２１、会社名６２２、会社情報６２３の位置が右側に配置され、テンプレート選択ページ６０１の「医院一般左型」とは異なった配置になっている。
【００３４】
また、戻るボタン６３３の押下がされたことが伝達されると、編集部１２３は、新規のカード作成時に参照されるテンプレートを変更しないで、再びカード作成ページ５０１を提示する。
図５に戻って、カード作成ページ５０１のカード一覧５１３は、作成済みのカード一覧リストを表示する。ここで、ユーザ端末１１等において、カード一覧５１３の任意のカードが選択されると、反転表示される。
【００３５】
新規カード作成ボタン５２１は、カード一覧５１３で提示された作成済みカードに追加して、新規にカードを作成するためのボタンである。編集部１２３は、新規カード作成ボタン５２１の押下がされたことが伝達されると、テンプレート識別名ボックス５１１で提示されているテンプレートをテンプレートDB１１３から読み出し、読み出したテンプレートをもとにカード入力ページを提示する。
【００３６】
図７は、カード入力ページの一例を示す図である。医院のスタッフ用で写真の貼り付け場所が左側にある「医院一般左型」のテンプレート６０１の場合におけるカード作成ページ５０１を例に、カード入力ページ７０１の内容を以下に詳しく述べる。
カード入力ページ７０１は、氏名７１１、name７１２、肩書７１３、No.７１４、生年月日７１５、発行年月日７１６、医院名称７１７、医院情報７１８、画像アップロードボタン７２２、トリミングボタン７２３、フォントボタン７２４、テンプレート識別名７２５、カードプレビュー７２６、次カードボタン７３１、戻るボタン７３２からなる。
【００３７】
氏名７１１から医院情報７１８までの各項目のボックスは、テキストボックスであり、ユーザ端末１１等のキーボードにより入力されたテキストを受け取る。
更新ボタン７２１は、上記の各テキストボックスに入力されたテキストの更新処理を行うためのボタンである。編集部１２３は、更新ボタン７２１が押下されたことが伝達されると、氏名７１１等の各テキストも続いて伝達されるので、それらを受け取る。現在のカードが新規作成の場合、新規のカードID（作成済みカードIDの最大値＋１）が付与され、ユーザ別カード情報DB１１２の当該ユーザのフォルダに新規のカード情報として、カードID、カードが参照しているテンプレート識別名、および受け取った各テキストを記録する。また、現在のカードが、作成済みのカードの編集中である場合、上記の氏名７１１等のテキストで、ユーザ別カード情報DB１１２の当該ユーザのフォルダにおける当該カード情報の上記各テキスト項目のテキストを受け取った各テキストで更新する。
【００３８】
そして、カード入力ページ７０１の提示に戻る。その提示においては、カードプレビュー７２６における氏名７１１等は、受け取った各テキストで更新して提示する。カード入力ページ７０１は、更新ボタン７２１の押下後に編集部１２３により提示されたページの例を示している。
画像アップロードボタン７２２は、たとえばテンプレート６０１における画像貼付部分６１１に貼り付ける画像データのファイルをアップロードするためのボタンである。ここで、アップロードとは、端末１１等にあるファイルをカード受注装置１００にネットワーク越しに転送し、コピーすることである。
【００３９】
編集部１２３は、画像アップロードボタン７２２の押下により、画像アップロードページを表示する。
図８は、画像アップロードページの一例を示す図である。図７（a）の画像アップロードページ８０１は、パス名入力テキストボックス８１１、参照ボタン８１２、アップロードボタン８１３、戻るボタン８１４からなる。
【００４０】
パス名入力テキストボックス８１１は、画像ファイル名を含むパス名を入力するボックスである。ユーザ端末１１等のキーボードから入力することができる。
参照ボタン８１２は、パス名入力テキストボックス８１１への画像ファイルの入力を、ファイルフォルダ下の画像ファイルの指定により行なうためのボタンである。参照ボタン８１２の押下により、ユーザ端末１１等の表示制御部１７は、図７（b）に示したようなファイルの選択のためのダイアログボックス８０２を端末１１等のモニタ１５にポップアップで表示させる。ダイアログボックス８０は、現在のフォルダ８２１、現在のフォルダ８２１に記録されている画像ファイル群８２２、開くボタン８３１、戻るボタン８３２からなる。ユーザにより所望の画像ファイルが選択され、開くボタン８３１が押下されたことが伝達されると、表示制御部１７は、ダイアログボックス８０を消去し、そのパス名をパス名入力テキストボックス８１１に設定する。
【００４１】
アップロードボタン８１３がユーザ端末１１にて押下されると、画像データは次のようにしてアップロードされる。
まず、アップロードボタン８１３の押下が入力受付部１６から、表示制御部１７に伝達される。表示制御部１７は、アップロードボタン８１３が押下されたときの伝達先がカード受注装置１００の編集部１２３であることを、画像アップロードページ８０１から得る。表示制御部１７は、アップロードボタン８１３が押下された旨と、アップロードボタン８１３の押下がパス名入力テキストボックス８１１で設定されたパス名の画像ファイルの画像データとの伝達先をカード受注装置１００の編集部１２３として端末通信部１８に伝達の指示を行い、端末通信部１８は通信部１２１を通じて編集部１２３に伝達する。次に、編集部１２３は、伝達された画像データを受け取り、ユーザ別カード情報DB１１２の当該ユーザのフォルダにおける当該カードのカード情報のうちの画像ファイルとして作成するとともに、現在作成中または編集中のカードにおいて、当該画像の画像貼付部分に貼り付ける画像ファイルとして設定する。
【００４２】
なお、既に当該画像貼付部分の画像ファイルが設定済みであれば、設定済みの画像ファイルを今アップロードした画像ファイルで置き換える。画像ファイルは、たとえばJPEG（Joint Photographic Experts Group）またはPNG（Portable Network Graphics）の画像圧縮形式であればよい。
アップロードした画像ファイルを、編集部１２３は、端末１１等が表示できるように調整し、調整された表示画像データに基づいて画像のトリミングを行なわせるためのトリミングページを提示する。
【００４３】
アップロード後にはじめてトリミングページを提示する際、表示画像データが示す画像は、画像ファイルが示す画像の矩形と縦横比が同じ画像で、その中心がカードの画像貼付部分の中心と一致し、カードの画像貼付部分をすべて包含する画像のうち面積が最小の画像である。言い換えれば、画像ファイルが示す画像の矩形の横の辺（横幅）の長さをｗ、縦の辺（高さ）の長さh、また、画像貼付部分の横の辺の長さをW、縦の辺（高さ）の長さをHとすると、h/w＜H/Wならば両方の縦の辺がちょうど対応するように画像ファイルが示す画像の各辺H/ｈ倍に拡大（または縮小）した画像を表示画像データとする。また、h/w＞H/Wならば、画像の各辺をW/ｗ倍に拡大（または縮小）した画像を表示画像データとする。h/w＝H/Wならば、H/ｈ倍あるいはW/ｗ倍のどちらでも同じであり、このときは、表示画像データは画像貼付部分に過不足なく納まる。
【００４４】
上記のように調整された表示画像データが示す画像は、あくまでもトリミングされる前の画像であり、その意味で未加工の画像である。したがって、上記のトリミングページは、未加工の画像を含む画面である未加工画面を提示するウエブページである。
提示の際、調整された表示画像データの示す画像の中心は画像貼付部分の中心と一致する。また、トリミングページの提示を受けて、表示制御部１７によりモニタ１５に表示される画像は、表示画像データの示す画像と当該画像の貼付部分との共通部分である。
【００４５】
なお、図８（a）の戻るボタン８１４、（b）の戻るボタン８３２はいずれもそれぞれのページでの処理を行なわないでもとのページに戻るためのボタンであり、編集部１２３はこれらのボタンの押下がされたことが伝達されると、それぞれのもとのページを提示する。
図９は、トリミングページの一例を示す図である。トリミングページ９０１は、回転ボタン９１１、拡大ボタン９１２、縮小ボタン９１３、プレビュー９２１、更新ボタン９３１からなる。
【００４６】
回転ボタン９１１が押下されると、ユーザ端末１１等の表示制御部１７は、画像の中心を軸に９０度単位で時計周りに順次回転させて表示する。
同様に、拡大ボタン９１２の押下の場合、表示制御部１７は当該画像を５％単位で拡大し、縮小ボタン９１３の押下の場合、５％単位で縮小して表示する。また、ボタン操作ではないが、画像のドラッグ操作が行われると、それに対応させて移動した画像を表示する。トリミングページ９０１に示した画像は、トリミングの一例として拡大ボタン９１２により拡大された画像を表示している。なお、拡大または縮小、回転、移動を組み合わせたトリミングももちろん可能である。
【００４７】
ここで、回転等の操作による画像の回転等の画像表示は、ユーザ端末１１等の表示制御部１７が行うとした。画像表示の処理を、表示制御部１７は、市場に流通している画像表示ソフト、たとえば端末１１等のブラウザのプラグインであるマクロメディア（マクロメディア社の登録商標）フラッシュプレーヤーに行なわせるようにしてもよい。その場合、トリミングページ９０１にアクションスクリプト（不図示）を組み込み、回転ボタン９１１の押下で画像を９０度単位で回転させて表示し、拡大ボタン９１２または縮小ボタン９１３の押し下げで、画像を５％単位で拡大または縮小して表示し、ドラッグ操作では画像を移動して、マクロメディア（マクロメディア社の登録商標）フラッシュプレーヤーがそれぞれ表示するようにという指示をアクションスクリプトに記述しておけばよい。アクションスクリプトは、このようにトリミング操作メニュの操作に対応するトリミングの処理を前記ユーザ端末に指示するトリミング処理指示情報を記載している。マクロメディア社のアクションスクリプトについては公知であるので、その説明は省略する。
【００４８】
更新ボタン９３１が押下されたことが伝達されると、画像貼付部分９２２の画像のトリミングに関する情報、つまり回転角度、トリミング領域（矩形領域）の左上座標、幅、高さからなるトリミング情報が、ユーザ端末１１等の表示制御部１７から端末通信部１８等を介して編集部１２３に伝達される。編集部１２３は、伝達されたトリミング情報を、ユーザ別カード情報DB１１２の当該ユーザフォルダのうち、作成中または編集中のカードのカード情報におけるトリミング情報として登録または更新し、編集部１２３は再びカード入力ページ７０１を提示する。
【００４９】
図７において、カード入力ページ７０１のトリミングボタン７２３が押下されたことが伝達されると、編集部１２３は、トリミングページ９０１を提示し、上記と同様な処理を行なう。
フォントボタン７２４が押下されたことが伝達されると、編集部１２３は、フォント変更ページ（不図示）を提示する。フォント変更ページにおいて、当該カードが参照しているテンプレートにおいて定めているテキスト項目別のフォントのタイプ、サイズ、色の設定を変更することができる。ここで、テキスト項目とは、氏名など文字からなる項目をいう。フォント変更ページにある更新ボタンが押下されたことが伝達されたとき、編集部１２３は、ユーザ別カード情報DB１１２の当該ユーザのフォルダの当該カード情報におけるフォント変更情報として登録または更新する。
【００５０】
カードプレビュー７２６は、新規カードの作成中または作成済みカードの編集中のカードの印刷イメージを表示したものである。
カードプレビュー７２６の表示内容は、更新ボタン７２１、写真アップロードボタン７２２、画像編集ボタン７２３、フォント変更ボタン７２４の操作により変更が行われる。
カード入力ページ７０１において、次カードボタン７３１が押下されたことが伝達されると、編集部１２３は、現在のカードが新規作成中であれば、カード作成ページ５０１の新規カード作成ボタン５２１の押下がされたことが伝達されたときと同様の編集処理を行なう。また、作成済みカードの編集中であり、しかも編集中の次のIDの作成済みカードがあれば、カード作成ページ５０１の既存カード編集ボタン５２２の押下がされたことが伝達されたときと同様の編集処理を行なう。
【００５１】
戻るボタン７３２の押下の旨の伝達を受けると、編集部１２３は、再びカード作成ページ５０１を提示する。
図５に戻って、既存カード編集ボタン５２２は、カード一覧５１３において現在選択されているカードの編集を行なうためのボタンである。既存カード編集ボタン５２２が押下されると、押下の旨とカード一覧５１３で選択されているカードのカードIDとが編集部１２３に伝達される。編集部１２３は、伝達されたカードIDのカード情報をユーザ別カード情報DB１１２から読み出す。また、当該カードが参照しているテンプレートを当該カード情報におけるテンプレート識別情報に基づきテンプレートDB１１３から読み出す。そして、読み出したカード情報およびテンプレートをもとにカード入力ページ７０１を作成して提示する。提示の際、編集部１２３は、カード情報に入力済みのテキスト項目があればそれらを表示し、画像ファイルがカードの画像貼付部分に貼り付けられていれば、それらもカード入力ページ７０１に含めて提示する。また、カード情報にフォント変更情報とトリミング情報が含まれていれば、それらの情報に基づき、テキストと画像の提示を行なう。
【００５２】
注文ボタン７３１が押下されたことが伝達されると、編集部１２３は制御部１５０に対して、カード注文処理を依頼するとともに制御を渡す。制御部１５０から制御を受けとり、編集部１２３は、再びカード作成ページ５０１を表示する。
戻るボタン５２４の押下の旨の伝達を受けると、編集部１２３は制御部１５０に対してカード注文ホームページ３０１の提示を依頼するとともに、制御を渡す。
【００５３】
制御部１５０は、他の構成要素の制御を行ない、ユーザ登録、ユーザ認証チェック、カードの作成と注文、印刷、精算に関する処理を行なう。制御部１５０は、ROM（Read Only Memory）またはRAM（Random Access Memory）に記録されたプログラム、プログラムが実行するCPUおよびメモリからなる。なお、各種DBを除く他の構成要素も同様である。
ユーザ端末１１等からカード注文ホームページ３０１へのアクセス要求があったとき、制御部１５０は、当該のユーザ端末１１等に対してカード注文ホームページ３０１を提示する。
【００５４】
カード注文ホームページ３０１において、ユーザ登録３１１が指定されると、その旨が制御部１５０に伝達される。制御部１５０は、ユーザ登録ページ４０１を提示し、ユーザ端末１１等からの登録情報の伝達を待つ。ユーザ端末１１等において、入力受付部１６は、ユーザID４１１等の入力を受け付け、受け付けたテキストを表示制御部１７に伝達し、表示制御部１７は伝達されたテキストを表示する。
【００５５】
登録ボタン３１１が押下（ポインティングデバイスによるクリック、以下同様）されると、ユーザ端末１１等の表示制御部１７によりユーザID４１１等のユーザ登録に関する情報が端末通信部１８に伝達され、端末通信部１８から通信部１２１を介して制御部１５０に伝達される。制御部１５０は、ユーザ登録に関する情報をユーザDB１１１に登録する。登録後、カード注文ホームページ３０１を提示する。
【００５６】
カード注文ホームページ３０１において、カード作成・注文ボタン３１２が指定されたことが伝達されると、制御部１５０は、ユーザログインのダイアログボックス（不図示）を提示し、ユーザIDとパスワードの入力を待つ。
ユーザIDとパスワードの入力が行なわれ、それらの情報が伝達されると、制御部１５０は、ユーザDB１１１を検索し、伝達されたユーザIDが登録されているか否かチェックし、登録されていれば伝達されたパスワードと登録されているパスワードとが一致するか否かチェックする。
【００５７】
パスワードが一致すれば、ユーザ認証は成功であり、ユーザIDとカード作成ページ５０１の提示を指示する指示情報とを編集部１２３に伝達し、制御を編集部１２３に渡す。
また、編集部１２３から制御を渡され、そのとき編集部１２３からカード注文処理の依頼があれば、制御部１５０は、カード注文ページの提示を行う。ユーザ認証が失敗の場合は、再びカード注文ホームページ３０１におけるユーザ端末１１等からの選択を待つ。
【００５８】
図１０は、カード注文ページの一例を示す図である。カード注文ページ１００１は、注文カードIDの範囲１０１１、カード配送方法１０１２、カード材料１０１３の各入力項目、発注ボタン１０３１、戻るボタン１０３２からなる。注文カードIDは、図５のカード一覧５１３に表示されている作成済みのカードのIDから選択する。
発注ボタン１０３１が押下されると、その旨と注文カードIDの範囲１０１１等の入力情報とが制御部１５０に伝達される。制御部１５０は、伝達された入力情報である注文カードIDの範囲１０１１、カード配送方法１０１２、およびカード材料１０１３に、注文番号（当該ユーザの注文を識別する番号）、注文月日と、空欄とした課金金額および入金金額の項目とを加えて新規の注文情報とし、ユーザDB１１１の当該ユーザの注文履歴情報に記録する。
【００５９】
また、制御部１５０は、当該ユーザのユーザIDと当該注文情報とを印刷部１３１に伝達して、カードの印刷を行なわせる。同様に、ユーザIDと当該注文番号とを精算部１３２に伝達して、カード注文の精算処理を行なわせる。そして、再び入力項目をカード注文ホームページ３０１を提示する。
戻るボタン１００１が押下されたことが伝達されると、制御部１５０は、カード入力ページ７０１に戻すため、制御を編集部１２３に戻す。
【００６０】
カード注文ホームページ３０１において、カード注文履歴３１３が押下されたことが伝達されると、制御部１５０は、ユーザログインのダイアログボックスを提示し、カード作成・注文ボタン３１２の場合と同様にユーザ認証を行なう。ユーザ認証が成功の場合、ユーザDB１１１の当該ユーザの注文情報を読み出し、それをもとにユーザ履歴ページ１１０１を提示する。
【００６１】
図１１は、ユーザ履歴ページの一例を示す図である。ユーザ履歴ページ１１０１は、注文履歴一覧１１１１と戻るボタン１１３２とからなる。
戻るボタン１１３２が押下されたことが伝達されると、制御部１５０は、カード注文ホームページ３０１を提示する。
印刷部１３１は、制御部１５０から伝達されたユーザIDと注文情報とをもとに、カードの印刷を行なう。ユーザ別カード情報DB１１２に記録されている指定のユーザのフォルダにおいて、注文された範囲にあるカードIDの各カード情報を読み出し、また、当該カード情報に記録されているテンプレートの識別名が示すテンプレートをテンプレートDB１１３から読み出す。読み出したカード情報のうち、
入力テキスト項目のテキスト、フォント変更情報、カードに貼り付けられる画像ファイルおよび画像のトリミング情報と、上記テンプレートとをもとに、カードの印刷を行なうための印刷データを作成し、注文情報のカード材料として指定されたカードに印刷する。読み出される上記カード情報には、カードに貼り付ける画像ファイルと画像ファイルが示す画像のトリミング情報とが含まれ、印刷する画像データの作成に使用される。
【００６２】
精算部１３２は、制御部１５０からユーザIDと注文番号とを受け取ると、注文料金の精算を次のように行なう。ユーザDB１１１のうち、指定のユーザIDのユーザの注文履歴情報のうち指定の注文番号の注文情報を検索し、上記注文情報をもとに算出した料金を課金金額の項目に記載する。また、精算部１３２は、ユーザにより別途、上記料金が払い込まれると入金金額の項目に記載する。
【００６３】
次に、本実施の形態の動作を図１２に示すフローチャートを用いて説明する。
まず、制御部１５０は、ユーザ端末１１等からホームページへのアクセス要求があると、カード注文ホームページ３０１を提示する（S１２０１）。
カード注文ホームページ３０１において、ユーザ登録３１１が指定されたことが伝達されると（S１２０３）。制御部１５０は、ユーザ登録ページ４０１を提示し、ユーザ端末１１等からの登録情報の伝達を待つ。
【００６４】
ユーザ端末１１等において、入力受付部１６は、ユーザ登録ページ４０１に対するユーザID４１１等の入力を受け付け、受け付けたテキストを表示制御部１７に伝達し、表示制御部１７は伝達されたテキストをモニタ１５に表示する（S１２１１）。
登録ボタン４２１が押下されると（S１２１３）、その旨とユーザ端末１１等の表示制御部１７によりユーザID４１１等のユーザ登録に関する入力情報とが端末通信部１８と通信部１２１とを介して制御部１５０に伝達される。制御部１５０は、伝達された入力情報に基づいてユーザDB１１１に新規ユーザとして登録する（S１２１５）。登録後、再びカード注文ホームページ３０１を提示する。
【００６５】
また、ユーザ登録ページ４０１において戻るボタン４２２が押下されたことが伝達されると（S１２１３）、再びカード注文ホームページ３０１を提示する。
カード注文ホームページ３０１において、カード作成・注文ボタン３１２またはカード注文履歴３１３が指定されると、ユーザ個別の処理が必要なため、制御部１５０は、ユーザログインのダイアログボックスを提示し、ユーザIDとパスワードの入力を待つ。ユーザ端末１１等においてユーザIDとパスワードの入力が行なわれ、それらの入力情報が伝達されると、制御部１５０は、ユーザDB１１１を検索し、伝達されたユーザIDのユーザが登録されているか否かチェックし、登録されていれば伝達されたパスワードと登録されている当該ユーザのパスワードとが一致するか否かをチェックする（S１２２３）。
【００６６】
パスワードが一致すれば、ユーザ認証は成功である。
カード注文履歴３１３が押下されたことが伝達されると（S１２２５においてNOの場合）、制御部１５０は、ユーザDB１１１の当該ユーザの注文履歴情報を読み出し、注文履歴情報における各注文情報をもとにユーザ履歴ページ１１０１を表示する（S１２２７）。ユーザ履歴ページ１１０１の戻るボタン１１３２が押下されたことが伝達されると、カード注文ホームページ３０１の提示に戻る。
【００６７】
カード作成・注文ボタン３１２が押下されたことが伝達されると（S１２２５）、制御部１５０は、指定のユーザIDのユーザについて、編集部１２３に対してカード作成ページ５０１の提示を行なうよう指示する。
編集部１２３は、制御部１５０からの指示により、ユーザ別カード情報DB１１２において指定のユーザIDのユーザフォルダを検索し、そのユーザフォルダに記録されているテンプレート識別名および各カード情報をもとに、カード作成ページ５０１を作成し、提示する（S１２３１）。
【００６８】
カード作成ページ５０１において、テンプレートの変更ボタン５１２の押下がされたことが伝達されると（S１２３３）、編集部１２３は、テンプレートDB１１３に登録されているテンプレートを読み出す。そして、先頭のテンプレートから順に、テンプレートに基づいて作成したテンプレート選択ページ６０１を提示する（S１２３５）。
テンプレート選択ページ６０１において、選択ボタン６３１の押下がされたことが伝達されると（S１２３７）、編集部１２３は、ユーザ別カード情報DB１１２の当該ユーザのフォルダに記録されている新規のカード作成時に参照されるテンプレート識別名を、選択されたテンプレートの識別名に更新し、カード作成ページ１のテンプレート５１１を選択されたテンプレート識別名に変更し（S１２３９）、S１２３１に戻る。
【００６９】
「次のテンプレートボタン」６３２の押下がされたことが伝達されると（S１２３８）、次のテンプレートを表示するため、S１２３５に戻る。戻るボタン６３３の押下がされたことが伝達されると（S１２３８でNOの場合）、S１２３１に戻る。
カード作成ページ５０１において、注文ボタン５２３の押下がされたことが伝達されると（S１３０１）、制御部１５０は編集部１２３から制御を受けとり、カード注文ページ１００１を提示し、注文に関する入力情報を受け付ける（S１３０３）。カード注文ページ１００１において、発注ボタン１０３１の押下がされたことが伝達されると（S１３０１）、制御部１５０は、注文に関する入力情報も伝達されるので、伝達された情報に注文番号、注文日付等を追加した情報を注文情報として、ユーザDB １１１の当該ユーザの注文履歴情報に記録する。そして、当該注文情報に関して、印刷部１３１にカード印刷を、また精算部１３２に精算をそれぞれ指示する。
【００７０】
印刷部１３１は、注文情報において注文範囲にあるカードIDのカードごとに、当該カードのカード情報をユーザ別カード情報DB１１２から読み出し、また、当該カード情報に記録されているテンプレートの識別名が示すテンプレートをテンプレートDB１１３から読み出す。そして、読み出したカード情報とテンプレートとをもとに、カードへの印刷が可能な形式の印刷データを作成し、注文されたカード材料のカードに印刷する（S１３０７）。読み出されるカード情報には、カードに貼り付ける画像ファイルと画像ファイルが示す画像のトリミング情報とが含まれ、印刷する画像の作成に使用される。
【００７１】
精算部１３２は、ユーザDB １１１の当該ユーザの注文履歴情報に記録されている当該注文情報が示す注文に関する費用を課金金額として算出して、課金金額の項目に記載する（S１３０９）。
そして、制御部１５０は、S１３０３に戻る。
カード注文ページ１００１において、戻るボタン１０３２の押下がされたことが伝達されると（S１３０５においてNOのとき）、編集部１２３は制御部１５０から制御を受けとり、S１２３１に戻る。
【００７２】
カード作成ページ５０１において、既存カード編集ボタン５２２の押下がされたことが伝達されると（S１３２１）、編集部１２３は、指定の作成済みカード情報をユーザ別カード情報DB１１２から読み出す（S１３２３）。また、当該カードが参照しているテンプレートを当該カード情報テンプレートDB１１３から読み出す（S１３２４）。読み出したカード情報とテンプレートとをもとにカード入力ページ７０１を作成して提示し（S１３２５）、カードの情報に関する入力を待つ。
【００７３】
カード入力ページ７０１において、更新ボタン７２１が押下されたことが伝達されると（S１３２７）、編集部１２３は、氏名７１１等の入力情報を、ユーザ端末１１等から通信部１２１を介して受け取る。現在のカードが新規作成の場合、新規のカードID（ユーザごとの作成順通し番号）が付与され、ユーザ別カード情報DB１１２の当該ユーザのフォルダに新規のカードとして、そのカードID、カードが参照しているテンプレート識別名、および上記各テキストを記録する。また、現在のカードが作成済みのカードの編集の場合、上記入力情報の氏名７１１等のテキストで、ユーザ別カード情報DB１１２の当該ユーザのフォルダの当該カードの上記各テキスト項目のテキストを更新し、S１３２５に戻る。
【００７４】
カード入力ページ７０１において、画像アップロードボタン７２２が押下されたことが伝達されると（S１３３１）、画像アップロードページ８０１を表示する（１３３３）。
画像アップロードページ８０１において、アップロード対象の画像ファイルのパス名が指定され、アップロードボタン８１３が押下されたことが伝達されると、上記画像ファイルの画像データもユーザ端末１１等から続いて伝達されるので、編集部１２３は、画像ファイルをユーザ別カード情報DB１１２の当該ユーザのフォルダの当該カード情報における画像ファイルとして記録し、現在作成中または編集中のカードにおいて、画像貼付部分に貼り付ける画像ファイルとして設定する（S１３３５）。そして、アップロードした画像ファイルを、編集部１２３は、端末１１等が表示できる表示画像データに変換し、画像のトリミングを行なうために、S１３４３に移行する。
【００７５】
カード入力ページ７０１において、トリミングボタン７２３が押下されたことが伝達されると（S１３４３）、編集部１２３は、トリミングページ９０１を提示する（S１３４３）。
ユーザ端末１１等において、トリミングページ９０１の回転ボタン９１１、拡大ボタン９１２、縮小ボタン９１３がユーザにより押下されると、画像が表示制御部１７により、９０度単位の時計回りの回転、５％単位の拡大あるいは縮小がされて表示され、またドラッグにより画像が移動されて表示される（S１３４５）。このようにして画像がトリミングされた後、更新ボタン９３１が押下されたことが伝達されると（S１３４７）、回転角度、トリミング領域の左上座標、幅、高さからなるトリミング情報が、ユーザ端末１１等の表示制御部１７から端末通信部１８等を介して編集部１２３に伝達される。編集部１２３は、伝達されたトリミング情報に基づいてユーザ別カード情報DB１１２の当該ユーザのフォルダの当該カード情報におけるトリミング情報として登録または更新し（S１３４９）、S１３２５に戻る。
【００７６】
カード入力ページ７０１において、フォントボタン７２４が押下されたことが伝達されると（S１３６１）、編集部１２３は、フォント変更ページを提示する。フォント変更ページにおいて、当該カードが参照しているテンプレートにおいて定めているテキスト項目別のフォントのタイプ等を変更するフォント変更の操作を受け付ける（S１３６３）。フォント変更ページにおいて更新ボタンが押下されたことが伝達されたとき（S１３６５）、編集部１２３は、フォント変更情報として、ユーザ別カード情報DB１１２の当該ユーザのフォルダの当該カード情報に記録する（S１３６７）。そして、S１３２５に戻る。
【００７７】
カード入力ページ７０１において、次カードボタン７３１が押下されたことが伝達されると（S１３７１）、編集部１２３は、現在のカードの次のIDのカードの作成または編集を行なうため、、S１３２１に移行する（S１３７１においてNOの場合）。カード入力ページ７０１において、戻るボタン７３２が押下されたことが伝達されたとき（S１３６１）、S１２３１に戻る。
【００７８】
上記実施の形態では、トリミングの操作ごとの結果の画像表示をユーザ端末で行なうとして説明したけれども、回転、拡大等のボタン押下の伝達を受けて、カード受注装置が画像表示の変更を行うようにしてもよい。こうすることにより、サーバとの通信が余分に必要となるが、ユーザ端末にプラグインのソフトをインストールする必要がなくなる。
また、本実施の形態のユーザ端末を、パソコンとしたけれども、WWWのブラウザが動作可能な端末、たとえばPDA（Personal Digital Assistant）としてもよい。
【００７９】
また、本実施の形態の印刷装置はカード受注装置にローカル接続されているとして説明したが、ネットワーク接続されていてもよい。
また、本実施の形態を、カード受注装置としたけれども、カード受注装置各構成要素の機能をコンピュータに実行させるプログラム及び方法としてもよい。
【産業上の利用可能性】
【００８０】
本発明に係るカード受注装置は、受注側のカード印刷業界において受注促進手段として利用され、また発注側のユーザ、たとえばあらゆる業種の企業、病院等で利用される。
【図面の簡単な説明】
【００８１】
【図１】本発明に係るカード受注装置の一実施の形態の概念図である
【図２】上記実施の形態の構成図である。
【図３】上記実施の形態の提示部１２２が提示するホームページの一例を示す図である。
【図４】上記実施の形態のユーザ登録ページの一例を示す図である。
【図５】上記実施の形態のカード作成ページの一例を示す図である。
【図６】上記実施の形態のテンプレート選択ページの２つの例を示す図である。
【図７】上記実施の形態のカード入力ページの一例を示す図である。
【図８】上記実施の形態の画像アップロードページの一例を示す図である。
【図９】上記実施の形態のトリミングページの一例を示す図である。
【図１０】上記実施の形態のカード注文ページの一例を示す図である。
【図１１】上記実施の形態のユーザ履歴ページの一例を示す図である。
【図１２】上記実施の形態の動作を説明するフローチャート（その１）である。
【図１３】上記実施の形態の動作を説明するフローチャート（その２）である。
【符号の説明】
【００８２】
１１、１２，１３  ユーザ端末
１５  モニタ
１６  入力受付部
１７  表示制御部
１８  端末通信部
２０  インターネット
３０  カード
１００  カード受注装置
１１１  ユーザDB
１１２  ユーザ別カード情報DB
１１３  テンプレートDB
１２１  通信部
１２２  提示部
１２３  編集部
１３１  印刷部
１３２  精算部
１５０  制御部
３０１  カード注文ホームページ
４０１  ユーザ登録ページ
５０１  カード作成ページ
６０１  テンプレート選択ページ
７０１  カード入力ページ７
８０１  画像アップロードページ
８０２  ファイルの選択のためのダイアログボックス
９０１  トリミングページ
１００１  カード注文ページ
１１０１  ユーザ履歴ページ
【図１】
2006139409.tif 000003
【図２】
2006139409.tif 000004
【図３】
2006139409.tif 000005
【図４】
2006139409.tif 000006
【図５】
2006139409.tif 000007
【図６】
2006139409.tif 000008
【図７】
2006139409.tif 000009
【図８】
2006139409.tif 000010
【図９】
2006139409.tif 000011
【図１０】
2006139409.tif 000012
【図１１】
2006139409.tif 000013
【図１２】
2006139409.tif 000014
【図１３】
2006139409.tif 000015